(57)【特許請求の範囲】
【請求項１】
天面壁と、該天面壁の周囲から垂下する円筒状のスカート壁と、該スカート壁の開口端の一部から軸方向に延びる基部を含むタブとを備えたキャップにおける該スカート壁の該タブの反対側を受け入れて搬送する複数個の切欠きを周縁に有する第１の回転ターレット板を備えかつ該第１の回転ターレット板の回転により該切欠きの各々は該キャップの受渡域を順次に通過させられる第１の回転ターレット機構と、該スカート壁の該タブ側を受け入れて搬送する複数個の切欠きを周縁に有する第２の回転ターレット板を備えかつ該第２の回転ターレット板の回転により該切欠きの各々は該受渡域を順次に通過させられて該受渡域で該第１の回転ターレット板の該切欠きの各々に整合する第２の回転ターレット機構とを備えたタブ付きキャップの搬送装置において、該第１の回転ターレット機構は、該第１の回転ターレット板の周縁部の下方にあって搬送される該キャップの該天面壁を支持する上面を有しかつ円弧状に延びる静止支持板と、該静止支持板の外周縁部の該上面に配設されて円弧状に延びかつ該スカート壁の該タブ側を案内する内周面を有する静止外側案内板と、該第１の回転ターレット板上に固定された上側回転円板とを含み、該上側回転円板の外周面は、その周縁部下面が該スカート壁の開口端上を覆うよう該第１の回転ターレット板の外周縁を越えて半径方向外方に延び該タブの該基部の内側に近接して位置付けられ、該第２の回転ターレット機構は、該第２の回転ターレット板の周縁部の下方にあって搬送される該キャップの該天面壁を支持する上面を有しかつ円弧状に延びる静止支持板と、該静止支持板の外周縁部の該上面に配設されて円弧状に延びかつ該スカート壁の該タブの反対側を案内する内周面を有する静止外側案内板と、該静止外側案内板上に配設された円弧状の静止上側案内板とを含み、該静止上側案内板の内周面は、その内周縁部の下面が該スカート壁の開口端上を覆うよう該第２の回転ターレット板の外周縁を越えて半径方向内方に延び該タブの該基部の内側に近接して位置付けられ、該第２の回転ターレット機構の該静止外側案内板は、該第１の回転ターレット板の該周縁部の該下面の下側又は該周縁部の該上面とこれに対向する該上側回転円板の該下面との間に位置付けられる形態で該受渡域まで延びると共にその該内周面は、該受渡域における該キャップの該スカート壁の該タブの反対側に近接して位置付けられる、ことを特徴とするタブ付きキャップの搬送装置。
【請求項２】
該上側回転円板の該外周面の全周には半径方向内方に向かう溝が形成され、該第１の回転ターレット板の該外周縁から該切欠きの各々の最深部を越えて半径方向内方に至る該第１の回転ターレット板の周縁部は、該周縁部の下面とこれに対向する該静止支持板の該上面との間又は該周縁部の上面とこれに対向する該上側回転円板の下面との間に所定の隙間が形成されるような厚さに規定され、該第１の回転ターレット機構の該静止外側案内板は、該第２の回転ターレット板の外周縁に近接する位置まで延び、該第１の回転ターレット機構及び該第２の回転ターレット機構の該静止支持板の各々は、各々の該上面が該受渡域を通して実質上同一面で連続するよう構成され、該第２の回転ターレット機構の該静止上側案内板は、その一端部が該第１の回転ターレット機構の該上側回転円板の該溝内に位置付けられる形態で該受渡域まで延びると共に、その該内周面は、該受渡域における該キャップの該タブの該基部の内側に近接して位置付けられる、請求項１記載のタブ付きキャップの搬送装置。
【発明の詳細な説明】
【０００１】
【発明の属する技術分野】
本発明は、天面壁と、天面壁の周囲から垂下する円筒状のスカート壁と、スカート壁の開口端の一部から軸方向に延びる基部を含むタブとを備えたタブ付きキャップの搬送装置に関する。
【０００２】
【従来の技術】
前記したようなタブ付きキャップの搬送装置としては、例えば、特開昭５９−１８２１２４号公報に開示されたものを挙げることができる。同公報に開示された装置は、上流側に配置された第１の回転ターレット機構及び下流側に配置された第２の回転ターレット機構（合流回転ターレット機構）を備えている。第１の回転ターレット機構は、スカート壁のタブの反対側を受け入れて搬送する複数個の半円形の切欠きを周縁に有する第１の回転ターレット板を備えている。切欠きの各々は、第１の回転ターレット板の回転によりキャップの受渡域を順次に通って回転移送させられる。第２の回転ターレット機構は、スカート壁のタブ側を受け入れて搬送する複数個の半円形の切欠きを周縁に有する第２の回転ターレット板（合流回転ターレット板）を備えている。切欠きの各々は、第２の回転ターレット板の回転により受渡域を通って回転移送させられ、受渡域において、第１の回転ターレット板の切欠きの各々に整合するよう構成されている。
【０００３】
前記第１の回転ターレット機構は、第１の回転ターレット板の周縁部の下方にあって搬送されるキャップの天面壁を支持する上面を有しかつ円弧状に延びる静止支持板と、該静止支持板の外周縁部の上面に配設されて円弧状に延びかつスカート壁のタブ側を案内する内周面を有する静止外側案内板と、円弧状の静止上側案内板とを含んでいる。静止外側案内板は前記受渡域まで延びている。静止上側案内板は、第１の回転ターレット板の周縁に沿ってその上方を上流側から前記受渡域まで円弧状に延びるよう配設されている。
【０００４】
第２の回転ターレット機構は、第２の回転ターレット板の周縁部の下方にあって搬送されるキャップの天面壁を支持する上面を有しかつ円弧状に延びる静止支持板と、円弧状の静止上側案内板とを含んでいる。静止上側案内板は、第２の回転ターレット板の周縁に沿ってその上方を前記受渡域から下流方向に円弧状に延びている。
【０００５】
第１の回転ターレット板における前記搬送域の上流側において切欠き内に受け入れられたキャップは、タブを第１の回転ターレット板の半径方向外方に向けた状態で第１の回転ターレット板の回転に付随して受渡域に搬送される。キャップは静止外側案内板により半径方向外方への移動が阻止され、静止上側案内板により上方への移動が阻止される。受渡域において、キャップのスカート壁のタブ側の半分は、第１の回転ターレット板の切欠きに整合する第２の回転ターレット板の切欠きに受け入れられる。第１の回転ターレット機構の静止外側案内板及び静止上側案内板は受渡域までしか延びておらず、一方第２の回転ターレット機構の静止上側案内板は受渡域から下流方向に延びているので、キャップは、タブを第２の回転ターレット板の半径方向内方に向けた状態で第２の回転ターレット板の回転に付随して受渡域から下流側に搬送される。第２の回転ターレット板により搬送されるキャップは、静止上側案内板により半径方向外方及び上方への移動が阻止される。
【０００６】
【発明が解決しようとする課題】
前記したように、第１の回転ターレット機構における静止上側案内板は、第１の回転ターレット板の周縁に沿ってその上方を上流側から前記受渡域まで円弧状に延びるよう配設されている。すなわちこの静止上側案内板は、搬送されるキャップの開口端の上方に位置付けられる関係上、静止支持板の外周縁部から、第１の回転ターレット板の半径方向内側に向かってオーバハングするよう静止支持板に装着された支持ブラケットにボルト等の連結具を介して取り付けられている。したがって、第１の回転ターレット機構における部品点数が多く、構成が複雑となっていた。また静止上側案内板によりキャップの開口端の全域を覆うよう、その半径方向の幅を大きくした場合には、支持ブラケットの強度を増大するか、支持ブラケットの数を増やす必要があり、前記した問題が更に大きくなる。
【０００７】
本発明の目的は、上流側の回転ターレット機構の構成を簡略化すると共に、タブ付きキャップを、比較的高速で、円滑かつ確実に搬送することができる、新規なタブ付きキャップの搬送装置を提供することである。
【０００８】
【課題を解決するための手段】
本発明によれば、天面壁と、該天面壁の周囲から垂下する円筒状のスカート壁と、該スカート壁の開口端の一部から軸方向に延びる基部を含むタブとを備えたキャップにおける該スカート壁の該タブの反対側を受け入れて搬送する複数個の切欠きを周縁に有する第１の回転ターレット板を備えかつ該第１の回転ターレット板の回転により該切欠きの各々は該キャップの受渡域を順次に通過させられる第１の回転ターレット機構と、該スカート壁の該タブ側を受け入れて搬送する複数個の切欠きを周縁に有する第２の回転ターレット板を備えかつ該第２の回転ターレット板の回転により該切欠きの各々は該受渡域を順次に通過させられて該受渡域で該第１の回転ターレット板の該切欠きの各々に整合する第２の回転ターレット機構とを備えたタブ付きキャップの搬送装置において、該第１の回転ターレット機構は、該第１の回転ターレット板の周縁部の下方にあって搬送される該キャップの該天面壁を支持する上面を有しかつ円弧状に延びる静止支持板と、該静止支持板の外周縁部の該上面に配設されて円弧状に延びかつ該スカート壁の該タブ側を案内する内周面を有する静止外側案内板と、該第１の回転ターレット板上に固定された上側回転円板とを含み、該上側回転円板の外周面は、その周縁部下面が該スカート壁の開口端上を覆うよう該第１の回転ターレット板の外周縁を越えて半径方向外方に延び該タブの該基部の内側に近接して位置付けられ、該第２の回転ターレット機構は、該第２の回転ターレット板の周縁部の下方にあって搬送される該キャップの該天面壁を支持する上面を有しかつ円弧状に延びる静止支持板と、該静止支持板の外周縁部の該上面に配設されて円弧状に延びかつ該スカート壁の該タブの反対側を案内する内周面を有する静止外側案内板と、該静止外側案内板上に配設された円弧状の静止上側案内板とを含み、該静止上側案内板の内周面は、その内周縁部の下面が該スカート壁の開口端上を覆うよう該第２の回転ターレット板の外周縁を越えて半径方向内方に延び該タブの該基部の内側に近接して位置付けられ、該第２の回転ターレット機構の該静止外側案内板は、該第１の回転ターレット板の該周縁部の該下面の下側又は該周縁部の該上面とこれに対向する該上側回転円板の該下面との間に位置付けられる形態で該受渡域まで延びると共にその該内周面は、該受渡域における該キャップの該スカート壁の該タブの反対側に近接して位置付けられる、ことを特徴とするタブ付きキャップの搬送装置、が提供される。
【０００９】
この発明によれば、第１の回転ターレット機構は、第１の回転ターレット板上に固定された上側回転円板を含み、この上側回転円板の外周面は、その周縁部下面がスカート壁の開口端上を覆うよう第１の回転ターレット板の外周縁を越えて半径方向外方に延び、タブの基部の内側に近接して位置付けられる。すなわち、上側回転円板を設けるのみで、キャップの開口端が実質上覆われて埃から保護され、かつ搬送されるキャップの上方への移動が阻止されると共に、その外周面がタブの基部の回転を阻止することによりキャップの回転が阻止され、所定の位置に保持された状態で搬送される。したがって、従来のように、静止支持板の外周縁部から、第１の回転ターレット板の半径方向内側に向かってオーバハングするような支持ブラケットを設ける必要がなくなり、またそれらに付随して使用されていたボルト等の連結具も不要となる。その結果、上流側の回転ターレット機構である第１の回転ターレット機構における部品点数が少なくなり、構成が簡略化されるので、全体として低コストで実用化することができる。上側回転円板は前記したように多機能を有するので、タブ付きキャップを、比較的高速で、円滑かつ確実に搬送することができる。
【００１０】
本発明によれば、該上側回転円板の該外周面の全周には半径方向内方に向かう溝が形成され、該第１の回転ターレット板の該外周縁から該切欠きの各々の最深部を越えて半径方向内方に至る該第１の回転ターレット板の周縁部は、該周縁部の下面とこれに対向する該静止支持板の該上面との間又は該周縁部の上面とこれに対向する該上側回転円板の下面との間に所定の隙間が形成されるような厚さに規定され、該第１の回転ターレット機構の該静止外側案内板は、該第２の回転ターレット板の外周縁に近接する位置まで延び、該第１の回転ターレット機構及び該第２の回転ターレット機構の該静止支持板の各々は、各々の該上面が該受渡域を通して実質上同一面で連続するよう構成され、該第２の回転ターレット機構の該静止上側案内板は、その一端部が該第１の回転ターレット機構の該上側回転円板の該溝内に位置付けられる形態で該受渡域まで延びると共に、その該内周面は、該受渡域における該キャップの該タブの該基部の内側に近接して位置付けられる、タブ付きキャップの搬送装置、が提供される。
【００１１】
この発明によれば、キャップの受渡域において、第１の回転ターレット板の切欠きに受け入れられていたスカート壁のタブの反対側は、第２の回転ターレット機構の静止外側案内板の内周面に案内され、またスカート壁のタブ側は、第２の回転ターレット板の切欠きに受け入れられ、キャップのタブの基部の回転の阻止は、上側回転円板の外周面から第２の回転ターレット機構の静止上側案内板の内周面に受け継がれる。したがって、第１の回転ターレット機構から第２の回転ターレット機構への受け渡しにおいて、キャップのタブの向きが反転するにもかかわらず、比較的高速で、円滑かつ確実に搬送（受け渡し）することができる。前記受け渡しが円滑かつ確実に遂行されることにより、キャップのガタが防止され、タブの変形が確実に防止される。
【００１２】
【発明の実施の形態】
以下、添付図面を参照しながら、本発明によるタブ付きキャップの搬送装置の実施の形態を詳細に説明する。図１は、本発明に従って構成されたタブ付きキャップの搬送装置を含む搬送システムの平面概略図である。２は、本発明に従って構成されたタブ付きキャップの搬送装置、４はタブ付きキャップの搬送手段である搬送シュート、６は、搬送シュート４に接続された反転装置（上流側の回転ターレット機構である第１の回転ターレット機構を構成する）、８は、反転装置６に接続された加熱装置（下流側の回転ターレット機構である第２の回転ターレット機構を構成する）、１０は、加熱装置８に接続されたライナ型押し成形装置である。タブ付きキャップの搬送装置２は、反転装置６及び、後述するキャップ１００の受渡域Ｂ付近における反転装置６及び加熱装置８の構成を含むものである。
【００１３】
搬送される物品であるタブ付きキャップ１００（以下、単にキャップ１００と称する）の実施の形態は、図１２及び図１３に示されている。それ自体周知のキャップ１００は、円形の天面壁１０２と、天面壁１０２の周囲から垂下する円筒状のスカート壁１０４と、スカート壁１０４の開口端の一部から軸方向に延びる基部１０６を含むタブ１０８とを備えている。タブ１０８のリング形状部は基部１０６から開口端の半径方向外方に傾斜して延びている。キャップ１００はアルミニウム基合金、ブリキ等の金属薄板から形成することができる。基部１０６までを金属薄板から形成し、リング形状部を合成樹脂により形成して基部１０６に接合してなるキャップ１００もある。この場合、リング形状部を基部１０６に接合する前に搬送することもあり、したがって、本発明における「タブ付きキャップ」とは、少なくとも基部１０６を備えたものを意味するものである。番号１１０は、天面壁１０２の内側に押圧成形により装着されたライナを示しているが、これはライナ型押し成形装置１０を経た最終の姿であって、搬送の途中までは存在しない。
【００１４】
図２及び図３を参照して、それ自体は周知の搬送シュート４は、基板１２と、基板１２上に幅方向に間隔を置いて配設された横案内壁部材１４及び１６と、案内壁部材１４及び１６上に配設された上案内壁部材１８及び２０とを備えている。上案内壁部材１８及び２０は、それぞれ横案内壁部材１４及び１６の上端から幅方向内側にオーバハングしている。したがってキャップ１００は、そのスカート壁１０４が、横案内壁部材１４、１６と、上案内壁部材１８及び２０のオーバハング部とにより、幅方向及び上方への移動が規制され、そのタブ１０８が、上案内壁部材１８及び２０により回転方向（幅方向）の移動が規制されながら、タブ１０８を上流側に向けた状態で搬送される。このようなキャップ１００の搬送は、一例として、図示しない周知のノズルから噴射されるエアにより順次遂行される。搬送シュート４における排出端は、反転装置６における導入域Ａに接続されている。
【００１５】
次に本発明に従って構成された反転装置６について説明する。図４及び図２を参照して、２２は固定軸であって、図示しない基板上に直立して装着されている。２４は円筒状部材であって、軸受２６及び図示しない他の軸受を介して固定軸２２に回転自在に支持されている。円筒状部材２４の環状フランジ部２６上には、環状の支持部材２８が固定され、支持部材２８上には、第１の回転ターレット板３０及び上側回転円板３２が一体的に固定されている。円筒状部材２４は、図示しないギヤ装置を介して、前記基板上に配置された電動モータに駆動結合されている。したがって、第１の回転ターレット板３０及び上側回転円板３２は、電動モータにより一体的に図１の時計方向に回転駆動される。
【００１６】
第１の回転ターレット板３０の周縁には、複数個の半円状の切欠き３４が等ピッチで形成されている。切欠き３４の半径は、キャップ１００のスカート壁１０４の半径より若干大きく形成されている。第１の回転ターレット板３０の回転により、切欠き３４の各々は前記導入域Ａ及び後述する受渡域Ｂを順次に通って回転移送させられる。図２に示すように、第１の回転ターレット板３０の切欠き３４の各々は、前記導入域Ａにおいて搬送シュート４の排出端に整合する。上側回転円板３２の外周面３３の全周には半径方向内方に向かう溝３５が形成されている。
【００１７】
３６は静止支持板であって、第１の回転ターレット板３０の周縁部の下方に沿って円弧状に延びている。静止支持板３６は、第１の回転ターレット板３０の周縁外方に配設された複数の支柱３８上に支持され、搬送されるキャップ１００の天面壁１０２を支持する水平な上面４０を有している。静止支持板３６は、この実施の形態においては、前記導入域Ａから後述する受渡域Ｂまで延びるよう構成されている。４２は静止外側案内板であって、静止支持板３６の外周縁部の上面４０に配設され、それに沿って円弧状に延びている。静止外側案内板４２は、キャップ１００のスカート壁１０４のタブ側を案内する内周面４４を有している。静止外側案内板４２は、搬送シュート４から後述する第２の回転ターレット板５０の外周縁に近接する位置（図５参照）まで延びている。
【００１８】
前記上側回転円板３２は、第１の回転ターレット板３０より外径が大きく形成され、その周縁部下面が搬送されるキャップ１００のスカート壁１０４の開口端上を隙間を置いて略覆うよう、第１の回転ターレット板３０の外周縁を越えて半径方向外方に延びている。上側回転円板３２の外周面３３は、キャップ１００の前記基部１０６の内側に近接して位置付けられている。第１の回転ターレット板３０の外周縁から切欠き３４の各々の最深部を越えて半径方向内方に至る第１の回転ターレット板３０の周縁部は、この周縁部の下面３１とこれに対向する静止支持板３６の上面４０との間に所定の隙間Ｓが形成されるような厚さＴに規定されている。この実施の形態では、厚さＴは、第１の回転ターレット板３０の外周縁に環状の薄肉部を形成することにより規定され（番号３１ａはその段部を示す）、また隙間Ｓは、キャップ１００のスカート壁１０４の高さ（軸方向の長さ）の略半分に規定されている。なお図示はしないが、第１の回転ターレット板３０の前記周縁部は、この周縁部の上面とこれに対向する上側回転円板３２の下面との間に前記隙間Ｓが形成されるような厚さＴに規定する実施の形態も成立する。この場合、前記段部３１ａは、図４の上側に位置付けられることになる。
【００１９】
次に本発明に従って構成された加熱装置８について説明する。図１、図５〜図７を参照して、５０は第２の回転ターレット板であって、前記第１の回転ターレット板３０と同様な支持機構により基板上に回転自在に支持されている。第２の回転ターレット板５０は、第１の回転ターレット板３０と同一の周速度でかつそれと同期して図１の反時計方向に回転駆動されるよう、前記ギヤ装置を介して電動モータに駆動結合されている。第２の回転ターレット板５０の周縁には、複数個の半円状の切欠き５２が等ピッチで形成されている。切欠き５２の半径は、キャップ１００のスカート壁１０４の半径より若干大きく形成されている。第２の回転ターレット板５０の回転により、切欠き５２の各々はキャップ１００の受渡域Ｂを順次に通って回転移送させられる。第２の回転ターレット板５０の切欠き５２の各々は、前記受渡域Ｂにおいて第１の回転ターレット板３０の切欠き３４に整合する。受渡域Ｂにおいては、キャップ１００のスカート壁１０４の円周の略半分が第１の回転ターレット板３０の切欠き３４に受け入れられ、他の略半分が第２の回転ターレット板５０の切欠き５２に受け入れられる。
【００２０】
５４は静止支持板であって、第２の回転ターレット板５０の周縁部の下方に沿って円弧状に延びている。静止支持板５４は、第２の回転ターレット板５０の周縁外方に配設された複数の支柱（図示せず）上に支持され、搬送されるキャップ１００の天面壁１０２を支持する上面５６を有している。静止支持板５４は、この実施の形態においては、前記受渡域Ｂから後述する受渡域Ｃまで延びるよう構成されている。５８は静止外側案内板であって、静止支持板５４の外周縁部の上面５６に配設され、それに沿って円弧状に延びている。静止外側案内板５８はキャップ１００のスカート壁１０４におけるタブ１０８の反対側を案内する内周面５９を有している。６０は静止上側案内板であって、静止外側案内板５８上に配設され、それに沿って円弧状に延びている。静止上側案内板６０は、その内周縁部の下面が、キャップ１００のスカート壁１０４の開口端上を間隔を置いて略覆うよう、第２の回転ターレット板５０の外周縁を越えてその半径方向内方に延びている。静止上側案内板６０の内周面６２は、タブ１０８の基部１０６の内側に近接して位置付けられている。
【００２１】
反転装置６の静止支持板３６と加熱装置８の静止支持板５４の各端部は受渡域Ｂにおいて近接して位置付けられ、したがって各々の上面４０及び５６は、受渡域Ｂを通して実質上同一面で連続する。なお、これらの上面４０及び５６が連続するのであれば、静止支持板３６及び静止支持板５４同士がどのような形態で近接配置されてもよい。加熱装置８の静止外側案内板５８は、反転装置６の第１の回転ターレット板３０の周縁部の下面３１の下側に位置付けられる形態で受渡域Ｂまで延びるよう構成されている。この実施の形態では、加熱装置８の静止支持板５４は受渡域Ｂまで延びているので、受渡域Ｂにおいては、第１の回転ターレット板３０の周縁部の下面３１と静止支持板５４の上面５６の間に、前記隙間Ｓに連続し、かつそれと実質上同一の隙間Ｓが形成される。そして静止外側案内板５８の内周面５９は、受渡域Ｂにおけるキャップ１００のスカート壁１０４におけるタブ１０８の反対側に近接して位置付けられている。なお、前記したように、第１の回転ターレット板３０の前記周縁部が、この周縁部の上面とこれに対向する上側回転円板３２の下面との間に前記隙間Ｓが形成されるような厚さＴに規定された場合には、加熱装置８の静止外側案内板５８は、反転装置６の第１の回転ターレット板３０の周縁部の上面とこれに対向する上側回転円板３２の下面との間に位置付けられる形態で受渡域Ｂまで延びるよう構成されることになる。
【００２２】
図８及び図９に示すように、静止外側案内板５８の受渡域Ｂ側の端部を構成する部材は、回転する上側回転部材３２と第１の回転ターレット板３０に干渉しないように、その端部に幅の狭い薄肉部７０及び７２が形成されている。そしてこれら端部の下面は静止支持板５４の上面５６上に載置される。
【００２３】
また加熱装置８の静止上側案内板６０は、その一端部が反転装置６の上側回転円板３２の溝３５内に位置付けられる形態で受渡域Ｂまで延びている。そして静止上側案内板６０の内周面６２は、受渡域Ｂにおけるキャップ１００のタブ１０８の基部１０６の内側に近接して位置付けられている。
【００２４】
図１０及び図１２に示すように、静止上側案内板６０の受渡域Ｂ側の端部を構成する部材は、回転する上側回転部材３２に干渉しないように、その端部に幅の狭い薄肉部８０が形成されている。そしてこの薄肉部８０が上側回転部材３２の溝３５内に、それに沿って延びるよう配置されている。
【００２５】
図１を参照して、加熱装置８の位置Ｘから位置Ｙ間における第２の回転ターレット板５０の周縁部の下方には、搬送されるキャップ１００を加熱するための、それ自体は周知の図示しない高周波加熱装置が配置されている。また位置Ｙと位置Ｚの間には、キャップ１００の天面壁１０２の内側中央に加熱溶融状態のライナ素材を所定量だけ供給するための、それ自体は周知の図示しないライナ素材供給装置が配設されている。
【００２６】
ライナ型押し成形装置１０は、受渡域Ｃで第２の回転ターレット板５０から受け渡されたキャップ１００の開口部内に、図示しない型押し成形工具を挿入し、ライナ素材を押圧することにより所定の形状に成形する。ライナが装着されたキャップ１００は、排出域Ｄにおいて外部に排出される。なお、ライナ型押し成形装置１０には、回転ターレット板、ストリッパ等の回転体が備えられているが、この回転体も、前記のようにギヤ装置を介して電動モータに駆動結合されており、第２の回転ターレット板５０に同期して同一の周速で図１の時計方向に回転駆動されるよう構成されている。
【００２７】
次に、以上のように構成されたキャップの搬送システムに含まれる、本発明のタブ付きキャップの搬送装置２の作用について説明する。
【００２８】
図１〜図４を参照して、搬送シュート４によりタブ１０８を上流側に向けた状態で順次搬送されるキャップ１００は、その排出端から反転装置６に排出される。排出されたキャップ１００は、第１の回転ターレット３０の切欠き３４内に受け入れられ、図１の時計方向に搬送される。キャップ１００のスカート壁１０４の開口端は、上側回転円板３２の、第１の回転ターレット３０の外周縁からオーバハングした周縁部によりその上方を実質上覆われるので、埃等の異物の侵入が防止されると共に、キャップ１００の上方への移動が阻止される。キャップ１００のスカート壁１０４のタブ１０８側は、静止外側案内板４２の内周面４４により円滑にガイドされ、上側回転円板３２の外周面３３がタブ１０８の基部１０６の回転を阻止することによりキャップ１００の回転が阻止される。したがってキャップ１００は、タブ１０８を第１の回転ターレット３０の半径方向外方に向けた位置に保持された状態で、高速かつ安定して搬送される。
【００２９】
図１及び図５を参照して、受渡域Ｂからは、第１の回転ターレット板３０の切欠き３４に受け入れられていたスカート壁１０４のタブ１０８の反対側は、加熱装置８の静止外側案内板５８の内周面５９に案内される。またスカート壁１０４のタブ１０８側は、第２の回転ターレット板５０の切欠き部５２に受け入れられる。更に、キャップ１００のタブ１０８の基部１０６の回転の阻止は、上側回転円板３２の外周面３３から加熱装置８の静止上側案内板６０の内周面６２に受け継がれる。したがって、反転装置６から加熱装置８への受け渡しにおいて、キャップ１００のタブ１０８の向きがそれぞれの回転中心に対して反転するにもかかわらず、比較的高速で、円滑かつ確実に搬送（受け渡し）することができる。前記受け渡しが円滑かつ確実に遂行されることにより、キャップ１００のガタが防止され、タブ１０８の変形が確実に防止される。
【００３０】
以上本発明を、実施の形態に基づいて詳細に説明したが、本発明は、上記実施の形態に限定されるものではなく、本発明の範囲内においてさまざまな変形あるいは修正ができるものである。
【００３１】
【発明の効果】
本発明によれば、上流側の回転ターレット機構である第１の回転ターレット機構の構成を簡略化すると共に、タブ付きキャップを、第１の回転ターレット機構から下流側の回転ターレット機構である第２の回転ターレット機構へ、比較的高速で、円滑かつ確実に搬送することができる。したがって、キャップのガタが防止され、タブの変形が確実に防止される。
【図面の簡単な説明】
【図１】本発明に従って構成されたタブ付きキャップの搬送装置を含むキャップの搬送システムの平面概略図。
【図２】図１の一部を拡大して示す上面図。
【図３】図３のＡ−Ａ矢視断面図。
【図４】図１のＢ−Ｂ矢視断面図。
【図５】図１の他の一部を拡大して示す上面図。
【図６】図５のＣ−Ｃ矢視断面図。
【図７】図５のＤ−Ｄ矢視断面図。
【図８】図５に示す静止外側案内板の平面図。
【図９】図８を下方から見た側面図。
【図１０】図５に示す静止上側案内板の平面図。
【図１１】図１０を下方から見た側面図。
【図１２】本発明装置により搬送されるタブ付きキャップの一実施の形態を示す上面図。
【図１３】図１２のＥ−Ｅ矢視断面図。
【符号の説明】
２  タブ付きキャップの搬送装置
４  搬送シュート
６  反転装置（第１の回転ターレット機構）
８  加熱装置（第２の回転ターレット機構）
１０  ライナ型押し成形装置
３０  第１の回転ターレット板
３２  上側回転円板
３４  切欠き
３５  溝
３６及び５４  静止支持板
４２及び５８  静止外側案内板
５０  第２の回転ターレット板
５２  切欠き
６０  静止上側案内板
１００  タブ付きキャップ
１０２  天面壁
１０４  スカート壁
１０６  基部
１０８  タブ
Ｂ  受渡域
Ｓ  隙間
【図１】
0003727708.tif 000002
【図２】
0003727708.tif 000003
【図３】
0003727708.tif 000004
【図４】
0003727708.tif 000005
【図５】
0003727708.tif 000006
【図６】
0003727708.tif 000007
【図７】
0003727708.tif 000008
【図８】
0003727708.tif 000009
【図９】
0003727708.tif 000010
【図１０】
0003727708.tif 000011
【図１１】
0003727708.tif 000012
【図１２】
0003727708.tif 000013
【図１３】
0003727708.tif 000014